(57)【要約】【課題】操作基板に基板面を貫く開口を形成することなく、操作基板を固定することができる手元操作部を有する電気掃除機の提供。【解決手段】上記の課題を解決する為には、電気掃除機において、電動送風機と集塵部を備えた掃除機本体と、掃除機本体に接続する風路形成体と、風路形成体の一部を形成する手元操作部と、を備え、手元操作部は、管部と、管部から分岐するアーチ部と、管部とアーチ部の上面を覆う上カバーと、操作スイッチを備えた操作基板を有し、アーチ部の上面には、操作基板を設ける操作基板取付部が形成され、操作基板取付部には、操作基板を保持する保持リブを有し、操作基板は凹部を有し、凹部に保持リブが入り込むことにより、操作基板が保持リブに保持されるように構成する。【選択図】図７
2018143551.tif 000002
【特許請求の範囲】
【請求項１】
電動送風機と集塵部を備えた掃除機本体と、
前記掃除機本体に接続する風路形成体と、
前記風路形成体の一部を形成する手元操作部と、
を備え、
前記手元操作部は、管部と、前記管部から分岐するアーチ部と、前記管部と前記アーチ部の上面を覆う上カバーと、操作スイッチを備えた操作基板を有し、
前記アーチ部の上面には、前記操作基板を設ける操作基板取付部が形成され、
前記操作基板取付部には、前記操作基板を保持する保持リブを有し、
前記操作基板は凹部を有し、
前記凹部に前記保持リブが入り込むことにより、前記操作基板が前記保持リブに保持されることを特徴とする電気掃除機。
【請求項２】
前記保持リブは該保持リブの弾性力により、前記凹部において前記操作基板を保持することを特徴とする請求項１に記載の電気掃除機。
【請求項３】
前記保持リブは、向かい合う一対のリブから構成されたことを特徴とする請求項２に記載の電気掃除機。
【請求項４】
前記操作基板が前記保持リブに保持された状態は仮固定の状態であり、前記上カバーが前記管部と前記アーチ部の上面を覆うように取り付けられることにより、前記操作基板が正しい位置となり前記操作基板取付部に設けられることを特徴とする請求項１〜３に記載の電気掃除機。
【発明の詳細な説明】
【技術分野】
【０００１】
本発明は、電気掃除機に関する。
【背景技術】
【０００２】
従来から、掃除機本体（以下、本体）と、この本体に着脱可能に接続されるホース体を有する電気掃除機がある。ホース体は、一端には電気掃除機と接続する為の接続部が設けられ、他端には使用者が握る手元ハンドルとなる手元操作部が設けられている。
また、手元操作部の先端に延長管を接続し、更に、この延長管に床面ブラシを接続することで、使用者が手元操作部を操作して、被清掃面である床面から塵挨を吸引する作業を行えるように、構成されている。
【０００３】
この手元操作部には、使用者が握る把持部の近傍に、操作部が設けられている。この操作部は、使用者が、電動送風機の電源をＯＮ／ＯＦＦしたり、電動送風機の出力を変化させて吸引力の強弱を変化させたり、床面ブラシに設けられた回転ブラシの動作及び停止を行う為の操作スイッチである。
【０００４】
このような操作部は、スイッチや電子部品が実装され開口が形成されている操作基板（プリント基盤）が、手元操作部に形成されたスイッチケース内に形成された突出ボスを開口に挿入した状態で設けられ、このスイッチケースとカバー部材に挟持された状態で、カバー部材がネジにより突出ボスに固定されて構成される。
【先行技術文献】
【特許文献】
【０００５】
【特許文献１】特開２０００−１５７６７号公報
【発明の概要】
【発明が解決しようとする課題】
【０００６】
しかしながら、従来技術においては、操作基板に固定の為に基板面を貫く開口を形成する必要がある。これにより、操作基板の強度が低下するとともに、開口を形成する為に加工が必要になる。
また、操作基板のスイッチとスイッチの間に開口を形成するので、基板に実装する部品のスペースを確保する為に、基板を大きくする必要があるという課題がある。
【０００７】
本発明は上記の課題を解決する為のものであり、操作基板に基板面を貫く開口を形成することなく、操作基板を固定することができる手元操作部を有する電気掃除機を提供するものである。
【課題を解決するための手段】
【０００８】
上記の課題を解決する為には、電気掃除機において、電動送風機と集塵部を備えた掃除機本体と、掃除機本体に接続する風路形成体と、風路形成体の一部を形成する手元操作部と、を備え、手元操作部は、管部と、管部から分岐するアーチ部と、管部とアーチ部の上面を覆う上カバーと、操作スイッチを備えた操作基板を有し、アーチ部の上面には、操作基板を設ける操作基板取付部が形成され、操作基板取付部には、操作基板を保持する保持リブを有し、操作基板は凹部を有し、凹部に保持リブが入り込むことにより、操作基板が保持リブに保持されるように構成する。
【発明の効果】
【０００９】
本発明によれば、操作基板に基板面を貫く開口を形成することなく、操作基板を固定することができる手元操作部を有する電気掃除機を提供することができる。
【図面の簡単な説明】
【００１０】
【図１】電気掃除機の全体図
【図２】手元操作部の斜視図
【図３】手元操作部の分解斜視図
【図４】図２のＡ−Ａ断面図
【図５】（ａ）上カバーが外れた状態の手元操作部を上方より見た平面図、（ｂ）（ａ）の部分拡大図
【図６】（ａ）操作基板の平面図、（ｂ）操作基板が操作基板取付部に設けられた状態の斜視図
【図７】（ａ）操作基板が操作基板取付部に取り付けられる過程を示す図であって、上カバーが外れた状態の手元操作部を斜め上後方から見た斜視図、（ｂ）（ａ）の部分拡大図
【図８】図７（ａ）手元操作部を後方から見た斜視図、（ｂ）（ａ）の部分拡大図
【図９】手元操作部の左側面図
【図１０】図９のＢ−Ｂ断面図
【発明を実施するための形態】
【００１１】
実施の形態．
図１〜図１０を参照して、実施の形態を説明する。
図１において、電気掃除機１１は、掃除機本体１２（以下、本体１２）と、この本体１２に着脱可能に接続される管体からなる風路形成体１３を備える。
本体１２の外殻は、内部に後述する機能部品を配置する空間を形成する本体ケース１５により構成されている。本体ケース１５には、被掃除面である床面上を旋回および走行可能な車輪１５ａを備えている。
【００１２】
この本体ケース１５の内部には、集塵部１７、電動送風機（図示せず）、この電動送風機に給電するためのコードリール装置（図示せず）や電源部（図示せず）、電動送風機などの動作を制御する本体制御部（図示せず）などが収容されている。
電動送風機は、本体１２の内部に負圧を生じさせ、本体１２に接続する風路形成体１３から集塵部１７に至る空間に、被掃除面から塵挨を吸引する為の気流を形成する。
【００１３】
集塵部１７は、電動送風機により生み出される気流に混ざって風路形成体１３を流下してきた塵挨を捕集するものである。集塵部１７は、塵埃が混ざる気流から塵挨のみを濾しとる紙パックや、遠心力により塵挨を分離するサイクロン分離装置等が用いられる。尚、集塵部１７は、捕集した塵挨を捨てる為に、本体１２に対して着脱可能である。
そして、この本体１２には、集塵部１７に連通するとともに風路形成体１３の基端側が接続される本体吸込口１９が形成されている。
【００１４】
風路形成体１３は、ホース体２１と、このホース体２１の先端に接続する延長管２２と、延長管２２の先端に接続する吸込口体である床ブラシ２３からなり、電動送風機の吸込み側と連通する風路を内部に形成する。
つまり、風路形成体１３は、電動送風機により生み出される気流の風路となり、吸引した塵挨を本体１２へと導く部位である。
【００１５】
延長管２２は、合成樹脂により構成された管体であり、ホース体２１に対して着脱可能である。床ブラシ２３は、内部にモーターにより駆動する回転ブラシを備え、被清掃面から塵挨を吸い込む部位であり、延長管２２に対して着脱可能である。
尚、以下、風路形成体１３の軸方向（気流の流れる方向）に沿って、床ブラシ２３側を前側、ホース体２１側を後側とし、これら前後方向に対して直交する方向に左右方向および上下方向を定義するものとする。
【００１６】
次に、ホース体２１は、可撓性を有するホース２５と、このホース２５の基端側に設けられた接続管部２６と、ホース２５の先端側に設けられる手元操作部Ｈとを有している。  接続管部２６は、本体吸込口１９と接続して本体１２の内部の電動送風機の吸込み側とホース２５を連通して風路を形成する。
【００１７】
図２〜図４を参照すると、手元操作部Ｈは、使用者が手で握るハンドルＨａを有し、床面ブラシ２３を被清掃面上において移動させたり、ハンドルＨａの前側に位置する操作部Ｓを操作したりする部位である。
この手元操作部Ｈは、風路となる手元操作管部５０（以下、管部５０）と、管部５０の上面を覆う上カバー６０と、ホース２５と管部５０の接続部を覆う接続部カバー８０から外殻を構成する。また、手元操作部Ｈは、内部に操作部Ｓを構成する操作基板７０を備える。
【００１８】
管部５０は、前端に延長管２２が接続する前開口５１と、後端にホース２５が接続する後開口５２が開口する。また、管部５０には、管部５０の上面から後斜め上方に向けて分岐して立ち上がり、管部５０側に近づくように湾曲したアーチ部５３が形成されている。
このアーチ部５３は、上面に操作基板７０を設ける領域となる凹状の操作基板取付部５４が形成されている。また、アーチ部５３の下面は、後述する上カバー６０と共に使用者が握るハンドルＨａを形成するハンドル下面部５８が形成されている。
また、管部５０の前開口５１の近傍であって上面には、管部５０に取付けた延長管２２を取り外す際に、管部５０と延長管２２の係合状態を解除する着脱ボタン５６が設けられる。
【００１９】
次に、上カバー６０は、管部５０の前端からアーチ部５３の後端に至る管部５０の上面を覆うカバーであり、管部５０の上面に沿った形状である。
また、上カバー６０には、着脱ボタン５６が位置する着脱ボタン開口６１と、操作部Ｓを構成する操作ボタン６２と、この操作ボタン６２の後側にハンドル下面部５８と共にハンドルＨａを形成するハンドル上面部６３が形成されている。
【００２０】
操作ボタン６２は、操作基板７０に設けられる操作スイッチ７２に対応した位置に設けられ、上方より押されることで弾性変形し、操作基板取付部５４に設けられた操作基板７０の操作スイッチ７２を押すように構成されている。
また、操作ボタン６２の上面には、電動送風機の動作・停止を行うボタンであることを示す「入」「切」や、電動送風機の出力調整をするボタンであることを示す「強」「弱」等の記載がなされた操作表記シート６２ａが設けられる。尚、操作表記シート６２ａは、操作部Ｓを構成する。
【００２１】
次に、接続部カバー８０は、右側接続部カバー８１と左側接続部カバー８２からなる。
右側接続部カバー８１は、管部５０の後端にホース２５が接続した状態において、管部５０とホース２５の接続位置を、右側から覆うように管部５０に設けられる。また、左側接続部カバー８２は、管部５０の後端にホース２５が接続した状態において、管部５０とホース２５の接続位置を、左側から覆うように管部５０に設けられる。
【００２２】
つまり、左側接続部カバー８２と右側接続部カバー８１は、管部５０の後端にホース２５が接続した状態において、管部５０とホース２５の接続位置を、それぞれ左右方向から挟み込むように、左側接続部カバー８２と右側接続部カバー８１は互いに係合すると共に、管部５０に取付けられる。
尚、左側接続部カバー８２と右側接続部カバー８１が係合する位置は、両部材が接続した状態である接続部カバー８０の上側及び下側の位置となる。このように接続部カバー８０の係合位置を上側及び下側とすることで、側面から手元操作部Ｈを見たときに、係合位置を目立たなくすることができる。
【００２３】
そして、右側接続部カバー８１の後端には、ネジ８３を受ける円筒形状のネジボス８１ａが設けられている。左側接続部カバー８２の後端には、ネジ８３を通すネジ開口８２ａが設けられている。また、上カバー６０の後端には、取付け開口６４が設けられている。
右接続カバー８１と左側接続部カバー８２が管体５０に取付けられる状態において、上カバー６０の取付け開口６４はネジボス８１ａに嵌り込み、ネジ開口８２ａにネジ８３を通してネジボス８１ａに止めることで、接続部カバー８０に対して上カバー６０が固定される。
【００２４】
以上のように接続カバー８０が管部５０に取付けられることで、接続部カバー８０に使用者が握ることができる第２のハンドルとなる下ハンドルＨｂが形成される。
接続部カバー８０と管部５０は、異なる材料で構成されている。例えば、接続部カバー８０は結晶性プラスチック（例えばＰＰ樹脂）で構成され、管部５０は非結晶性プラスチック（例えばＡＢＳ樹脂）で構成されている。尚、接続部カバー８０と管部５０は、同じ材料で構成してもよい。
また、接続部カバー８０は非結晶性プラスチック（例えばＡＢＳ樹脂）で構成して、管部５０を結晶性プラスチック（例えばＰＰ樹脂）で構成してもよい。
【００２５】
（操作基板の構成）
次に、図５〜図６を参照すると、操作基板７０は、印刷配線基板７１の上面に、操作スイッチ７２やその他の電子部品が実装されたものである。本実施の形態では、４つの操作スイッチ７２が縦に一列となるように配置されて実装されている。
これらの操作スイッチ７２は、それぞれ電動送風機の動作や出力の変更や停止、また、床ブラシ２３に設けられたブラシを回転駆動する為のモーターの動作や停止を行う為のスイッチである。操作スイッチ７２の出力は、制御手段に入力され、この入力に基づき制御手段が電動送風機等を制御する。
【００２６】
また、印刷配線基板７１は、前後方向に長い矩形状を成しており、前端には前方より凹み左右方向の幅がΔＷ１の前凹部７１ａが形成されている。更に、後端には後方より凹み左右方向の幅がΔＷ２の後凹部７１ｂが形成されている。
この前凹部７１ａと後凹部７１ｂは、印刷配線基板７１の左右の中心となる位置に形成されている。
【００２７】
次に、図５〜図１０を参照して、操作基板取付部５４及び当該部位における操作基板７０の固定方法について説明する。
固定する操作基板取付部５４は、アーチ部５３に形成された上方向に向けて開口する凹状の部分である。操作基板取付部５４には、操作基板７０を保持する為の複数の保持リブ５５と、操作基板７０の下面を支える受部５７が設けられている。
【００２８】
受部５７は、操作基板取付部５４の底部に一体に設けられた部位であり、操作基板７０が設けられた際に、操作基板７０の下面を支える部位である。
保持リブ５５は、操作基板取付部５４の内壁に一体に設けられた突出した部位であり、操作基板７０を右側又は左側から保持する側方保持リブ５５ａと、操作基板７０の上面から保持する上面保持リブ５５ｂと、操作基板７０を前方から保持する前端保持リブ５５ｃと、操作基板７０を後方から保持する後端保持リブ５５ｄからなる。
ここで言う、保持リブ５５が操作基板７０を保持するとは、操作基板７０の動きを規制して操作基板取付部５４の内部に操作基板７０を留めることである。
【００２９】
側方保持リブ５５ａは、操作基板取付部５４の側面から内側に向けて突出した部位であり、操作基板取付部５４の左側側面と右側側面に、それぞれ２つずつ設けられている。側方保持リブ５５ａは、操作基板取付部５４の内部に左右対象に配置されている。
左右に向かい合った側方保持リブ５５ａの間隔は、操作基板７０の左右の幅を基準に設定されており、操作基板７０が左右に向かい合った側方保持リブ５５ａの間に挿入可能であり、操作基板７０の左右方向の動きを規制できる程度となっている。
【００３０】
次に、上面保持リブ５５ｂは、操作基板取付部５４の前側の位置で、側面から内側に向けて突出した部位であり、操作基板取付部５４の左側側面と右側側面に、それぞれ１つずつ設けられている。
また、上面保持リブ５５ｂは、下方に空間が形成されている。この空間に操作基板７０を挿入することで、上面保持リブ５５ｂは操作基板７０の上側に位置し、操作基板７０の上方向の動きを規制する。
【００３１】
次に、前端保持リブ５５ｃは、操作基板取付部５４の前端の位置であって、左右の中心となる位置に設けられる。前端保持リブ５５ｃは、操作基板取付部５４の底から上方に向けて突出した部位である。
この前端保持リブ５５ｃの左右方向の幅は、操作基板７０の前凹部７１ａの左右方向の幅Ｗ１と同じか若干小さい程度である。つまり、前凹部７１ａの内部に、前端保持リブ５５ｃが嵌る程度の大きさに構成されている。
【００３２】
次に、後端保持リブ５５ｄは、操作基板取付部５４の底から上方に向けて突出した部位であり、操作基板取付部５４の後端の位置であって、左右の中心となる位置の右側と左側からそれぞれ突出する一対のリブ（後端保持右リブ５５ｄ１，後端保持左リブ５５ｄ２）から構成される。つまり、後端保持リブ５５は、隙間を空けて設けられた一対のリブにより構成されている。
【００３３】
この後端保持リブ５５ｄの左右方向の幅は、操作基板７０の後凹部７１ｂの左右方向の幅Ｗ２と同じ程度、又は、後端保持リブ５５ｄの上端側の幅はＷ２と同じ程度か小さく、そして、下端側に行くにつれてＷ２と同じ程度か若干大きくなる大きさ（例えば、テーパー形状）である。つまり、後凹部７１ｂの内部に、後端保持リブ５５ｄが嵌る程度の大きさに構成されている。
尚、それぞれの保持リブ５５の厚さは、管部５０の意匠面を構成する部位の厚さより、薄くなるように構成されている。このように構成することで、管部５０の保持リブ５５が設けられた位置において、樹脂成型時において意匠面に生じるヒケを抑止することができる。
【００３４】
図５〜図１０を参照すると、以上のように構成された操作基板取付部５４には、次のように操作基板７０が設けられる。
まず、操作基板取付部５４の上方より、操作基板７０の先端を上面保持リブ５５ｂの下側に挿入する。この時、操作基板７０の先端側は、上面保持リブ５５ｂの下側に入り込むと共に、前凹部７１ａが前端保持リブ５５ｃに嵌り込んだ状態となる。
この状態では、操作基板取付部５４において、操作基板７０の前端の位置が決まる。  また、この段階では、操作基板７０は、前凹部７１ａ側を下に斜めの状態となっている。
【００３５】
そして、操作基板７０が前端保持リブ５５ｃに嵌り込んだ状態で、操作基板７０の後端を操作基板取付部５４に挿入することで、操作基板７０の後凹部７１ｂが後端保持リブ５５ｄに嵌り込む。
このように、操作基板７０の前端側の上面が上面保持リブ５５ｂにより保持され、後凹部７１ｂが後端保持リブ５５ｄに嵌り込むことで、操作基板７０が操作基板取付部５４の内部に固定される。
【００３６】
ここで、操作基板７０の後凹部７１ｂと後端保持リブ５５ｄについて説明する。
後凹部７１ｂの左右の幅はΔＷ２である。これに対して、この後端保持リブ５５ｄの左右方向の幅は、操作基板７０の後凹部７１ｂの左右方向の幅ΔＷ２と同じ程度、又は、後端保持リブ５５ｄの上端側の幅はΔＷ２と同じ程度か小さく、そして、下端側に行くにつれてΔＷ２と同じ程度か若干大きくなる大きさ（例えば、テーパー形状）である。
つまり、後凹部７１ｂの内部に、後端保持リブ５５ｄが嵌る程度の大きさに構成されている。尚、テーパー形状とする場合のテーパーの角度であるが、樹脂成型後、成型品から金型を抜くための抜きテーパー程度の角度で良い。
【００３７】
この様に各部が構成されているので、操作基板７０の後凹部７１ｂ内に、後端保持リブ５５ｄが入り込み、後端保持リブ５５ｄが操作基板７０を保持する。
特に、後端保持リブ５５ｄは、隙間を空けて向かい合う一対のリブ（５５ｄ１，５５ｄ２）から構成されているので、後凹部７１ｂの内壁に押されて、互いのリブが近づく方向にたわみやすく構成されている。
【００３８】
従って、操作基板７０を操作基板取付部５４に取り付ける際に、後端保持リブ５５ｄがたわんで後凹部７１ｂの内部に入り込み、後凹部７１ｂの内部では、後端保持リブ５５ｄは弾性力により広がり、後保持リブ５５ｄがしっかりと後凹部７１ｂの内部で係止し、操作基板７０を保持する。
つまり、後凹部７１ｂの内部に、後端保持リブ５５ｄが圧入した状態となる。尚、この後凹部７１ｂの内部に後端保持リブ５５ｄが圧入した状態は、組み立て作業者が容易に、後端保持リブ５５ｄに係止された操作基板７０を取り外せる程度の力で保持されるものである。以上の状態は、操作基板７０は、操作基板取付部５４に仮保持された状態である。
【００３９】
次に、管部５０に上カバー６０が上方向より取り付けられる。これにより、操作基板７０が操作基板取付部５４に仮保持された状態において、管部５０の前端から操作基板取付部５４、そして、アーチ部５３の後端に至る管部５０の上面を上カバー６０が覆う。
ここで図９を参照すると、上カバー６０の下面には、押えリブ６５が設けられている。押えリブ６５は、操作基板取付部５４に保持された操作基板７０を上方より押えるリブである。押えリブ６１には、操作基板７０を上方より押える第１の面６５ａと、操作基板の側面を押える第２の面６５ｂが形成されている。
【００４０】
以上のように上カバー６０が構成されているので、上カバー６０を管部５０に取り付ける際に、操作基板取付部５４に仮保持された操作基板７０が、正しい取り付け位置より浮き上がった状態であっても、押えリブ６５の第１の面６５ａが操作基板７０の上面を押して、正しい固定位置に移動することができる。
また、同様に、操作基板取付部５４に仮保持された操作基板７０が、正しい取り付け位置より右側又は左側にずれた状態であっても、押えリブ６５の第２の面６５ｂが操作基板７０の側面を押して、正しい固定位置に移動することができる。
尚、上カバー６０は、管部５０に対して係合した上、ネジにより固定される。
【００４１】
以上のように、操作基板取付部５４に操作基板７０を仮固定して取り付けるように構成しているので、操作基板７０を操作基板取付部５４に対してネジなどにより取り付ける必要が無い。
また、操作基板７０を仮固定後、上カバー６０を管部５０に取り付けるだけで、操作基板７０を確実に操作基板取付部７０に固定でき、手元操作部Ｈを組み立てるときの組み立て作業性が良い。
【００４２】
更に、操作基板７０を操作基板取付部５４内部で保持する為のリブは、操作基板７０を仮保持する程度の構造でよい。つまり、意匠面を構成する部位の厚さより、薄くリブを構成することができるので、意匠面を構成する管部５０と共に一体成型により形成しても、意匠面に影響を及ぼす樹脂成型時のヒケ等の現象を抑えることができる。
【００４３】
更に、操作基板７０を仮固定する為の後端保持リブ５５ｄは、操作基板取付部５４の底から上方に向けて突出した部位であるので、強度を上げるなど為に、管部５０の厚さと同等か厚く構成することで、樹脂成型時のヒケが生じても、当該ヒケが管部５０の下面に位置するので、意匠面への影響を小さくすることができる。
尚、本実施の形態では、後端保持リブ５５ｄで操作基板７０を上方向に外れないように仮に固定する構成であるが、前端保持リブ５５ｃを後端保持リブ５５ｄのように弾性変形可能に構成して、操作基板７０を仮保持することができるように構成しても良い
【符号の説明】
【００４４】
１１  電気掃除機
１２  掃除機本体（本体）
１３  風路形成体
１５  本体ケース
１５ａ  車輪
１７  集塵部
１９  本体吸込口
２１  ホース体
２２  延長管
２３  床ブラシ
２５  ホース
２６  接続管部
Ｈ  手元操作部
Ｈａ  ハンドル
Ｓ  操作部
５０  管部
５１  前開口
５２  後開口
５３  アーチ部
５４  操作基板取付部
５５  保持リブ
５５ａ  側方保持リブ
５５ｂ  上面保持リブ
５５ｃ  前端保持リブ
５５ｄ  後端保持リブ
５５ｄ１  後端保持右リブ
５５ｄ２  後端保持左リブ
５８  ハンドル下面部
５６  着脱ボタン
６０  上カバー
６１  着脱ボタン開口
６２  操作ボタン
６２ａ  操作表記シート
６３  ハンドル上面部
６４  取付け開口
６５  押えリブ
６５ａ  第１の面
６５ｂ  第２の面
７０  操作基板
７１  印刷配線基板
７１ａ  前凹部
７１ｂ  後凹部
７２  操作スイッチ
８０  接続部カバー
８１  右接続部カバー
８１ａ  ネジボス
８２  左接続部カバー
８２ａ  ネジ開口
８３  ネジ
【図１】
2018143551.tif 000003
【図２】
2018143551.tif 000004
【図３】
2018143551.tif 000005
【図４】
2018143551.tif 000006
【図５】
2018143551.tif 000007
【図６】
2018143551.tif 000008
【図７】
2018143551.tif 000009
【図８】
2018143551.tif 000010
【図９】
2018143551.tif 000011
【図１０】
2018143551.tif 000012